(57)【要約】      （修正有）【課題】吸込みフィルタを昇降させる昇降装置を備える場合であっても空気清浄フィルタの着脱を容易に行うことができる空気調和装置を提供すること。【解決手段】空気調和装置本体３が熱交換器及び送風機を備え、熱交換器に対向させて前面及び天面に吸込口１５，１７を備え、該吸込口１５，１７に亘ってフィルタ３３を配置し、該フィルタ３３を上昇・下降させるフィルタ昇降装置備え、フィルタ３３と熱交換器との間に電気式除塵フィルタ４０を備え、フィルタ昇降装置は、フィルタ３３を下降させた際に、電気式除塵フィルタ４０の前面側に当該電気式除塵フィルタ４０よりも大きな開口部７５を備える。【選択図】図３
2009085460.tif 000002
【特許請求の範囲】
【請求項１】
空気調和装置本体が熱交換器及び送風機を備え、熱交換器に対向させて前面及び天面に吸込口を備え、該吸込口に亘って吸込みフィルタを配置し、該吸込みフィルタを上昇・下降させる昇降装置を備える空気調和装置において、
前記吸込みフィルタと熱交換器との間に空気清浄フィルタを備え、
前記昇降装置は、前記吸込みフィルタを下降させた際に、前記空気清浄フィルタの前面側に当該空気清浄フィルタよりも大きな開口部を備えることを特徴とする空気調和装置。
【請求項２】
前記昇降装置は、前記吸込みフィルタを保持する複数段に区別された昇降枠を備え、この最上段の昇降枠の上枠と前記天面との間に前記開口部が形成されることを特徴とする請求項１に記載の空気調和装置。
【請求項３】
前記空気清浄フィルタは、前記熱交換器の前面上部に配置されていることを特徴とする請求項１または２に記載の空気調和装置。
【発明の詳細な説明】
【技術分野】
【０００１】
本発明は、空気調和装置本体に対し昇降自在なフィルタ（吸込みフィルタ）を備えた壁掛け型の空気調和装置に関する。
【背景技術】
【０００２】
従来、壁掛け型の空気調和装置において、被調和室内から取り込んだ空気に含まれる粉塵を取り除くフィルタと、このフィルタを着脱自在に保持すると共に昇降自在に駆動する昇降装置とを空気調和装置本体に備え、フィルタの清掃時には、フィルタを空気調和装置本体から所定位置まで下降させ、その位置で清掃のためにフィルタを取り外しできるようにしたものが提案されている（例えば、特許文献１参照）。
【特許文献１】特開２００３−６５５９４号公報
【発明の開示】
【発明が解決しようとする課題】
【０００３】
ところで、この種の空気調和装置では、被調和室内の空気の清浄化を図るべく、細かな塵埃の捕集と脱臭とを行う空気清浄フィルタを、上記フィルタと熱交換器との間に設けることが望ましい。しかしながら、この場合、空気清浄フィルタの前方には、上記フィルタ及び昇降装置が配置されているため、空気清浄フィルタの着脱が困難となるといった問題が考えられる。
本発明は、上述した事情に鑑みてなされたものであり、吸込みフィルタを昇降させる昇降装置を備える場合であっても空気清浄フィルタの着脱を容易に行うことができる空気調和装置を提供することを目的とする。
【課題を解決するための手段】
【０００４】
上記課題を解決するため、本発明は、空気調和装置本体が熱交換器及び送風機を備え、熱交換器に対向させて前面及び天面に吸込口を備え、該吸込口に亘って吸込みフィルタを配置し、該吸込みフィルタを上昇・下降させる昇降装置を備える空気調和装置において、前記吸込みフィルタと熱交換器との間に空気清浄フィルタを備え、前記昇降装置は、前記吸込みフィルタを下降させた際に、前記空気清浄フィルタの前面側に当該空気清浄フィルタよりも大きな開口部を備えることを特徴とする。
この構成によれば、吸込みフィルタを下降させた際に、空気清浄フィルタの前面側に当該空気清浄フィルタよりも大きな開口部が形成されるため、この開口部を通じて空気清浄フィルタを容易に着脱することができる。
【０００５】
この構成において、前記昇降装置は、前記吸込みフィルタを保持する複数段に区別された昇降枠を備え、この最上段の昇降枠の上枠と前記天面との間に前記開口部が形成される構成としても良い。また、前記空気清浄フィルタは、前記熱交換器の前面上部に配置されている構成としても良い。
【発明の効果】
【０００６】
本発明によれば、吸込みフィルタを下降させた際に、空気清浄フィルタの前面側に当該空気清浄フィルタよりも大きな開口部が形成されるため、この開口部を通じて空気清浄フィルタを容易に着脱することができる。
【発明を実施するための最良の形態】
【０００７】
以下、図面を参照しながら、本発明の一実施の形態について説明する。
図１は、壁掛け型の空気調和装置の斜視図、図２はその断面図である。空気調和装置１は樹脂成形した空気調和装置本体３と、空気調和装置本体３の前面側に配置された樹脂成形の前面パネル５とを備え、空気調和装置本体３は、図２に示すように、その内側に断面略Ｃ字状の熱交換器７と、この熱交換器７の内側に配置した送風機９とを備えている。空気調和装置本体３は、前面１１及び天面１３（図３参照）に吸込口１５，１７を備えており、上記送風機９の駆動により、前面１１及び天面１３の吸込口１５，１７から吸い込んだ室内空気を、熱交換器７に通流し、ここで熱交換した空気は、空気調和装置本体３の送風機９の下流に設けた吹出口１９から室内に吹き出される。
【０００８】
上記吹出口１９は、スクロール部２１と舌部２２とで囲まれており、スクロール部２１の出口側には風向変更用の複数の縦羽根２３が配置され、各縦羽根２３同士はスクロール部２１の裏側でリンク部材２４により連結され、縦羽根駆動モータ（不図示）に連結されている。２５は水平フラップであり、フラップ駆動モータ（不図示）に連結されている。該フラップ２５の回動姿勢によって吹出口１９を開閉し、かつ運転条件に応じて、当該吹出口１９から吹き出される空気の吹き出し方向を上下方向に設定可能であり、複数の縦羽根２３は、運転条件に応じて、当該吹出口１９から吹き出される空気の吹き出し方向を左右方向に設定可能である。
【０００９】
本実施の形態では、空気調和装置本体３の前面１１の吸込口１５と、上述した前面パネル５との間に、フィルタ昇降装置３１が配置されている。フィルタ昇降装置３１は、フィルタ３３を昇降するものであり、該フィルタ３３は、前面１１の吸込口１５と天面１３の吸込口１７とを同時に覆い、吸込口１５，１７から吸い込まれる室内空気中の塵埃を捕集する。図３は、前面パネル５を取り外し、フィルタ昇降装置３１を下降動作し、フィルタ３３を降下した状態を示し、図４は、フィルタ昇降装置３１そのものを示す。フィルタ昇降装置３１は、図４に示すように、１〜４段に区別された樹脂成形の昇降枠３５〜３８を備え、昇降枠３５〜３８がすべて引き出されると、図３の状態となって、フィルタ３３が降下し、昇降枠３５〜３８がすべて引き込まれると、図２の状態となって、フィルタ３３が吸込口１５，１７を覆うように格納される。また、図２に示すように、フィルタ昇降装置３１は、昇降枠３５〜３８の吸込口１５に対向する面が上を向くように、空気調和装置本体３の前面１１に傾斜して取り付けられている。
【００１０】
１段目の昇降枠３５は、図４に示すように、枠体３５Ａの内側を、左右及び上下に延出する補強用桁部３５Ｂで連結し、枠体３５Ａの両側には、断面略コ字状の一対のガイド３５Ｃを備えている。２段目の昇降枠３６は、同様に、枠体３６Ａの内側を、左右及び上下に延出する補強用桁部３６Ｂで連結し、枠体３６Ａの両側には、断面略コ字状の一対のガイド３６Ｃを備え、このガイド３６Ｃは、１段目の昇降枠３５のガイド３５Ｃ溝内に収納自在である。３段目の昇降枠３７は、枠体３７Ａの内側を、左右及び上下に延出する補強用桁部３７Ｂで連結し、枠体３７Ａの両側には、断面略コ字状の一対のガイド３７Ｃを備え、このガイド３７Ｃは、２段目の昇降枠３６のガイド３６Ｃ溝内に収納自在である。また、最終段の４段目の昇降枠３８は、枠体３８Ａの内側を、左右及び上下に延出する補強用桁部３８Ｂで連結し、枠体３８Ａの両側の端縁部３８Ｃは、３段目の昇降枠３７のガイド３７Ｃ溝内に収納自在である。
ここで、４段目（最下段）の昇降枠３８の端縁部３８Ｃには上下方向に延在する案内リブ３８Ｇが形成されている。この案内リブ３８Ｇは、３段目の昇降枠３７のガイド３７Ｃの内側面３７Ｃ１に相当する位置に設けられている。４段目の昇降枠３８の端縁部３８Ｃが３段目の昇降枠３７のガイド３７Ｃ溝内に収納される場合、このガイド３７Ｃの内側面３７Ｃ１に上記案内リブ３８Ｇが案内される。このため、４段目の昇降枠３８の端縁部３８Ｃを３段目の昇降枠３７のガイド３７Ｃ溝内にスムーズに移動して収納することができる。また、この案内リブ３８Ｇは、４段目の昇降枠３８の端縁部３８Ｃを補強する補強リブとしても機能する。
【００１１】
各昇降枠３５〜３８の中央には、縦に延びるガイド３５Ｄ〜３８Ｄが設けられ、ガイド３５Ｄ〜３８Ｄは、昇降枠３５〜３８の昇降時に、ガイド３５Ｄがガイド３６Ｄに収納され、ガイド３６Ｄがガイド３７Ｄに収納され、さらにガイド３７Ｄがガイド３８Ｄに収納されて、入れ子式に収納自在である。
【００１２】
４段目の昇降枠３８の下端には、図４に破線で示すように、左右２分割の状態でフィルタ３３が取り付けられる。このフィルタ３３は、図５に示すように、プレフィルタ６０と、このプレフィルタ６０の前面の略全域を塞ぐ状態でプレフィルタ６０に取り付けられる使い捨てフィルタ素材６１とを備えて構成されている。
プレフィルタ６０は、フィルタ支持枠６２の内側を左右及び上下に延出する桁部６３で連結し、これらフィルタ支持枠６２及び桁部６３とで形成された開口にプレフィルタ素材６６が取り付けられている。本構成では、プレフィルタ６０は、樹脂材料によって一体的に成形され、略Ｌ字形状に湾曲できる程度の弾性を有している。
フィルタ支持枠６２の上枠部６２Ａおよび下枠部６２Ｂには、それぞれ使い捨てフィルタ素材６１をプレフィルタ６０に固定するためのフック機構７０が設けられている。このフック機構７０は、フィルタ支持枠６２の内側に形成された突起部７１と、この突起部７１に嵌る嵌合孔７４を有するヒンジ状に曲がる押さえ部７２とを備える。使い捨てフィルタ素材６１をプレフィルタ６０に固定する場合には、使い捨てフィルタ素材６１の係止孔６４を突起部７１に通し、押さえ部７２を曲げて嵌合孔７４を突起部７１に嵌め込む。これにより、簡単に使い捨てフィルタ素材６１をプレフィルタ６０に固定することができる。
また、フィルタ支持枠６２の下枠部６２Ｂの略中央には、フィルタ３３を昇降枠３８に連結するための２つの連結孔６７が形成されている。また、フィルタ支持枠６２の縦枠部６２Ｃには、下方が幅広となった幅広部６２Ｃ１が形成されている。
【００１３】
一方、４段目の昇降枠３８の上端部には、図４に示すように、フィルタ３３の中段部を押さえる押さえ片３８Ｅが設けられている。押さえ片３８Ｅは、この押さえ片３８Ｅの下側にフィルタ支持枠６２の幅広部６２Ｃ１が挿入されることにより、この幅広部６２Ｃ１を支持するものである。本構成では、押さえ片３８Ｅは、この押さえ片３８Ｅの下端部の方が上端部よりも枠体３８Ａとの隙間が大きく形成されている。このため、４段目の昇降枠３８にフィルタ３３を取り付ける場合に、このフィルタ３３の上端部を容易に押さえ片３８Ｅの下側に挿入することができ、取り付け作業の簡易化を図ることができる。
また、この押さえ片３８Ｅは、フィルタ３３の略中段部を押さえるため、フィルタ３３が昇降枠３５〜３８から離れる側に倒れることが防止され、この昇降枠３５〜３８をすべて引き込む際に、フィルタ３３はスムーズに上記吸込口１５、１７を覆うように格納される。
また、４段目の昇降枠３８の下端部には、上記連結孔６７に嵌合する連結片３８Ｆが形成されている。この連結片３８Ｆは、連結孔６７と略同じ大きさに形成されており、小さな力で連結片３８Ｆを連結孔６７に嵌め込むことができるようになっている。本構成では、４段目の昇降枠３８に設けられた押さえ片３８Ｅの下側にフィルタ３３を挿入するとともに、この４段目の昇降枠３８の下端部に設けられた連結片３８Ｆにフィルタ３３（プレフィルタ６０）に設けられた連結孔６７を嵌め込むといった簡単な作業でフィルタ３３を昇降枠３５〜３８に保持させることができる。
なお、フィルタ昇降装置３１を構成する昇降枠３５〜３８は、１段目の枠体３５Ａの両上端３５Ｆを、図３に示すように、空気調和装置本体３の前面１１の両側上端に、ビス（図示せず）等の留め具を介して取り付けられている。
【００１４】
次に、フィルタ昇降装置３１の機構について説明する。
図６は、フィルタ昇降装置３１を前面側から見た斜視図であり、図７は、フィルタ昇降装置３１を背面側からみた斜視図である。
図６に示すように、１段目の枠体３５Ａの右側のガイド３５Ｃには、昇降枠３５〜３８を昇降する正逆回転可能な直流ステッピングモータにより構成されたフィルタ昇降モータ３９が取り付けられている。このフィルタ昇降モータ３９の出力軸は、図７に示すように、ギア等を介して、１段目の昇降枠３５の下端部に設けられた連結軸５１に連結されている。この連結軸５１の両端部にはそれぞれピニオン５３が設けられ、このピニオン５３は２段目の昇降枠３６の背面にそれぞれ形成されたラック５５に噛み合っている。
また、１段目の昇降枠３５の下端部には、第１ベルト４１の一端が固定されている。この第１ベルト４１は、図６に示すように、２段目の昇降枠３６の上端に形成された上部ローラ５６に巻かれて、この２段目の昇降枠３６の前面を下方に延びる。そして、この第１ベルト４１の他端は、図示は省略したが、２段目の昇降枠３６の下端に形成された下部ローラ５７に巻かれて、上記ラック５５の上を上方に延び、上記１段目の昇降枠３５の下端部に連結されている。さらに、第１ベルト４１の略中間部は、図４に示すように、３段目の昇降枠３７の上端部に形成されたベルト固定部３７Ｅに固定されている。
【００１５】
また、２段目の昇降枠３６の下端部３６Ｅには、図７に示すように、上記第１ベルト４１よりも内側に配置される第２ベルト４２の一端が固定されている。この第２ベルト４２は、図６に示すように、３段目の昇降枠３７の上端に形成された上部ローラ５８に巻かれて、この３段目の昇降枠３７の前面を下方に延びる。そして、この第２ベルト４２の他端は、図７に示すように、３段目の昇降枠３７の下端に形成された下部ローラ５９に巻かれて、当該３段目の昇降枠３７の背面を上方に延び、上記２段目の昇降枠３６の下端部３６Ｅに連結されている。さらに、第２ベルト４２の略中間部は、図４に示すように、４段目の昇降枠３８の上端部に形成されたベルト固定部３８Ｈに固定されている。
フィルタ昇降モータ３９が正回転された場合、ラック５５とピニオン５３との噛み合いによって、２段目の昇降枠３６が下降する。ここで、２段目の昇降枠３６に巻かれた第１ベルト４１の略中間部は３段目の昇降枠３７の上端部に形成されたベルト固定部３７Ｅに固定されているため、２段目の昇降枠３６の下降に伴い３段目の昇降枠３７も下降する。さらに、３段目の昇降枠３７に巻かれた第２ベルト４２の略中間部は４段目の昇降枠３８の上端に形成されたベルト固定部３８Ｈに固定されているため、３段目の昇降枠３７の下降に伴い４段目の昇降枠３８も下降する。
これにより、フィルタ昇降モータ３９が正回転駆動されると、図３に示すように、昇降枠３５〜３８がすべて引き出されて、フィルタ３３が降下する。本構成では、フィルタ昇降装置３１は、少なくともフィルタ３３の長さ以上、本体３の外部に昇降枠３５〜３８を引き出し可能となっている。言い換えれば、フィルタ昇降装置３１は、フィルタ３３の略全面が本体３の外部に露出する長さＨだけ、本体３の外部に昇降枠３５〜３８を引き出せるようになっている。この構成によれば、フィルタ３３の着脱時に、このフィルタ３３の略全面が外部に露出するため、フィルタ３３の着脱作業を非常に容易に行うことができる。さらに、従来のものに比べて、４段目、すなわち最下段の昇降枠３８がより低い位置まで下降するため、背の低いユーザであっても簡単にフィルタ３３の着脱を行うことができる。
一方、フィルタ昇降モータ３９が逆回転された場合、ラック５５とピニオン５３との噛み合いによって、２段目の昇降枠３６が上方に引き上げられるとともに、上記第１ベルト４１及び第２ベルト４２によって、３段目の昇降枠３７及び４段目の昇降枠３８が上方に引き上げられる。これにより、フィルタ昇降モータ３９が逆回転駆動されると、図２に示すように、昇降枠３５〜３８がすべて引き込まれて、フィルタ３３が格納される。
【００１６】
本構成では、フィルタ昇降装置３１は、上述のように、フィルタ３３の略全面を本体３の外部に露出するために、１〜４段に区別された昇降枠３５〜３８を備えて構成されている。ここで、フィルタ３３の略全面を本体３の外部に露出する目的であれば、４段に限らず、例えば、３段や５段の構造とすることも考えられる。しかしながら、フィルタ昇降装置を３段の昇降枠で構成した場合、各段の昇降枠の高さが大きくなるため、これら昇降枠を収容する空気調和装置本体が高さ方向に大きくなってしまう。
一方、フィルタ昇降装置を５段の昇降枠で構成した場合、各昇降枠を上昇・下降するための機構が複雑になるとともに、各昇降枠が５段に積層されるため、空気調和装置本体が厚み方向に大きくなってしまう。
これに対して、本構成では、フィルタ昇降装置３１を４段の昇降枠３５〜３８で構成したため、従来のものに比べて空気調和装置本体３を高さ方向及び厚み方向に大型化することなく当該本体３内にフィルタ昇降装置３１を配置することができる。
【００１７】
また、昇降枠３５〜３８がすべて引き出された状態では、図３に示すように、１段目の枠体３５Ａの上縁が、所定位置まで低く下がって維持されており、枠体３５Ａの上縁の上方に形成される空間を通じて、電気式除塵フィルタ（空気清浄フィルタ）４０が装着される。この電気式除塵フィルタ４０は、図２に示すように、熱交換器７とフィルタ３３との間に装着され、フィルタ３３を通過した室内空気中の塵埃の捕集及び当該空気の脱臭が可能である。
【００１８】
フィルタ３３は、上述したように４段目の昇降枠３８の下端に固定されるため、昇降枠３５〜３８が上昇し、フィルタ３３が空気調和装置本体３の前面１１から天面１３に進入する過程では、フィルタ３３の上部が湾曲して前面１１から天面１３に進入する。
この空気調和装置本体３の天面１３は、図２に示すように、空気調和装置本体３の上部３Ａと、この上部３Ａの上に間隔δをあけて着脱自在に取り付けられる天面パネル４３とで構成され、上述したフィルタ３３の上部は湾曲して該隙間δ内に進入し、昇降枠３５〜３８がすべて引き込まれた状態（図２）では、フィルタ３３が、前面１１及び天面１３の各吸込口１５，１７を同時に覆う。
【００１９】
本実施の形態では、図３に示すように、天面パネル４３の前縁部に対し、各フィルタ３３に対応して、フィルタ３３の上部の方向転換部、すなわちフィルタ３３が前面１１から天面１３に方向転換する部位に突出して、フィルタ３３の上部を前面１１から天面１３に滑らかに案内可能に、フィルタ案内部４３Ａが一体に設けられている。また図２に示すように、方向転換した後のフィルタ３３の先端部を、天面パネル４３の下面に対し滑らかに案内自在に、天面パネル４３の前後方向に延びる桁部４３Ｂの下面に、湾曲リブ４５が一体に設けられている。この構成では、フィルタ案内部４３Ａ、及び湾曲リブ４５の協働によって、フィルタ３３の上部が、空気調和装置本体３の前面１１から天面１３に対し、滑らかに案内されて進入が可能となる。
【００２０】
上記前面パネル５は、図２に示すように、空気調和装置１の不作動状態において、フィルタ昇降装置３１を完全に覆うように、空気調和装置本体３の前面１１に隙間無く閉じている。そして、空気調和装置１を作動する段階、或いはフィルタ昇降装置３１を作動し、昇降枠３５〜３８を降下する段階には、図８及び図９に示すように、リンク機構４６を介して、前面パネル５が前方に押し出され、空気吸い込みのための隙間確保、或いは昇降枠３５〜３８の降下のための隙間が確保される。
【００２１】
また、フィルタ昇降装置３１は、上述したように、昇降枠３５〜３８の吸込口１５に対向する面が上を向くように、空気調和装置本体３の前面１１に傾斜して取り付けられている。具体的には、図６に示すように、フィルタ昇降装置３１は、昇降枠３５〜３８に支持されるフィルタ３３が鉛直方向に対して角度Ａで傾斜するように取り付けられている。
この角度Ａは、昇降枠３５〜３８を下降する際に、フィルタ３３の付着面３３Ａに付着した塵埃が付着面３３Ａから脱落しない角度に設定され、本実施形態では、角度Ａは３°に設定されている。
この角度Ａを、３°以上とすることで、より効果的な付着力が得られ、塵埃の付着面３３Ａからの脱落を防止できる。さらに、空気調和装置１が不作動状態で昇降枠３５〜３８がすべて引き込まれた状態においても、付着面３３Ａが傾斜しているため、塵埃の脱落を防止できる。この角度Ａは大きければ大きいほど、塵埃の付着面３３Ａからの脱落を防止できる。
【００２２】
次に、電気式除塵フィルタについて説明する。
電気式除塵フィルタ４０は、このフィルタ４０を流通する空気中の塵埃に電荷を与えて捕捉するものであり、花粉や室内の汚れた空気に含まれる超微粒子レベルの塵埃や煙草の煙などを除去することができる。
電気式除塵フィルタ４０は、図３に示すように、上記したフィルタ昇降装置３１の昇降枠３５〜３８の上部の略中央に配置される。この電気式除塵フィルタ４０は、本体４０Ａの略中央に空気が流通する開口４０Ｂを備え、この開口４０Ｂ内に複数の電極８０（図１０）が並べて配置されている。この電極８０は、開口４０Ｂを流通する空気中の塵埃に電荷を与えるものと、電荷が与えられた塵埃を捕捉するものとを備える。
本体４０Ａの両側部には、熱交換器７の前面上部に配置された装着板７６に装着するための装着部４０Ｃ、４０Ｄが形成され、一方の（本実施形態では図中右側）の装着部４０Ｄには、上記電極８０と電気的につながる端子部８１が形成されている。この端子部８１は、装着板７６に形成された電源部（不図示）に連結される。また、本体４０Ａの前部略中央には、この本体４０Ａを装着板７６から着脱するための把持部４０Ｅが形成されている。
本体４０Ａを外す場合には、把持部４０Ｅを上方に引き上げるとともに、前方に引張ることにより簡単に装着板７６から取り外すことができる。
【００２３】
ところで、電気式除塵フィルタ４０の前方には、図２に示すように、フィルタ３３及びフィルタ昇降装置３１が配置されているため、この電気式除塵フィルタ４０を簡単に着脱することが望まれる。
本実施形態では、図１０に示すように、フィルタ昇降装置３１は、フィルタ３３を下降させた際に、電気式除塵フィルタ４０の前面側に当該電気式除塵フィルタ４０よりも大きな開口部７５を備える。この開口部７５は、１段目、すなわち最上段の昇降枠３５の枠体３５Ａの上枠３５Ａ１と、この昇降枠３５のガイド３５Ｃと、天面パネル４３との間に形成されている。この１段目の昇降枠３５の上枠３５Ａ１は、天面パネル４３から電気式除塵フィルタ４０の高さに相当する距離よりも低い位置に設けられている。
このため、開口部７５を電気式除塵フィルタ４０よりも大きく形成することができ、この開口部７５を通じて電気式除塵フィルタ４０を簡単に着脱することができる。一方、フィルタ昇降装置３１が上昇した状態では、図２に示すように、電気式除塵フィルタ４０の上流には、フィルタ３３が配置されるため、このフィルタ３３を通過した空気のみが電気式除塵フィルタ４０を通過する。
【００２４】
本実施形態によれば、空気調和装置本体３が熱交換器７及び送風機９を備え、熱交換器７に対向させて前面及び天面に吸込口１５，１７を備え、該吸込口１５，１７に亘ってフィルタ３３を配置し、該フィルタ３３を上昇・下降させるフィルタ昇降装置３１を備える空気調和装置において、フィルタ３３と熱交換器７との間に電気式除塵フィルタ４０を備え、フィルタ昇降装置３１は、フィルタ３３を下降させた際に、電気式除塵フィルタ４０の前面側に当該電気式除塵フィルタ４０よりも大きな開口部７５を備えたため、フィルタ昇降装置３１を備える場合であっても、開口部７５を通じて電気式除塵フィルタ４０を容易に着脱することができる。
また、本実施形態によれば、フィルタ昇降装置３１は、フィルタ３３を保持する１〜４段に区別された昇降枠３５〜３８を備え、この最上段の昇降枠３５の上枠３５Ａ１と天面パネル４３との間に開口部７５が形成されるため、フィルタ昇降装置３１が備える昇降枠の数によらず、これら昇降枠を下降させることにより、上記開口部７５を簡単に形成することができる。このため、この開口部７５を通じて電気式除塵フィルタ４０を容易に着脱することができる。
また、本実施形態によれば、電気式除塵フィルタ４０は、熱交換器７の前面上部に配置されているため、この開口部７５の高さを電気式除塵フィルタ４０が通過する最小限の高さに設定することができ、空気調和装置本体３の小型化を図ることができる。
【００２５】
以上、一実施形態に基づいて、本発明を説明したが、本発明は、これに限定されるものではない。例えば、本実施形態では、フィルタ昇降装置３１は、４段の昇降枠３５〜３８を備える構成について説明したが、フィルタ昇降装置を収容する空気調和装置本体の大きさに制限がなければ、４段に限るものではない。
【図面の簡単な説明】
【００２６】
【図１】本発明の実施形態に係る壁掛け型の空気調和装置の斜視図である。
【図２】空気調和装置の断面図である。
【図３】前面パネルを取り外し、フィルタ昇降装置を下降動作し、フィルタを降下した状態を示す図である。
【図４】フィルタ昇降装置の構成を示す図である。
【図５】フィルタの分解斜視図である。
【図６】フィルタ昇降装置を前面側から見た斜視図である。
【図７】フィルタ昇降装置を背面側からみた斜視図である。
【図８】フィルタ昇降装置を作動し、昇降枠が降下し始めた段階を示す図である。
【図９】フィルタ昇降装置を作動し、昇降枠が降下しきった段階を示す図である。
【図１０】昇降枠が降下した状態を示す正面図である。
【符号の説明】
【００２７】
１  空気調和装置
３  空気調和装置本体
５  前面パネル
７  熱交換器
９  送風機
１１  前面
１３  天面
１５  吸込口
１７  吸込口
３１  フィルタ昇降装置
３３  フィルタ（吸込みフィルタ）
３５〜３８  昇降枠
３６  昇降枠
３８Ｃ  端縁部
３８Ｅ  押さえ片
３８Ｆ  連結片
３８Ｇ  案内リブ
３９  フィルタ昇降モータ
４０  電気式除塵フィルタ（空気清浄フィルタ）
７５  開口部
７６  装着板
８０  電極
【図１】
2009085460.tif 000003
【図２】
2009085460.tif 000004
【図３】
2009085460.tif 000005
【図４】
2009085460.tif 000006
【図５】
2009085460.tif 000007
【図６】
2009085460.tif 000008
【図７】
2009085460.tif 000009
【図８】
2009085460.tif 000010
【図９】
2009085460.tif 000011
【図１０】
2009085460.tif 000012